(57)【要約】【課題】構成部品点数を減らして製作組立のコストを節減でき、操作の簡便性にも優れたマンホール蓋の把手孔用カバー装置を提供する。【解決手段】把手孔２に挿入されるキャップ４と、キャップ４のブラケット板部６に水平支軸７により連結され、自己の偏倚荷重によって側面板部５の外側に突出回転するロック板８と、キャップ４のキー孔１０から挿入される操作キー１１とからなる。把手孔２のオーバーハング壁１２に係脱するノーズ部１３をロック板８に形成し、操作キー１１の駆動突起１４に押される受動板部１５をロック板８の上端部に形成する。キャップ４が把手孔２に挿入されるとき、把手孔２の孔縁部２ａに押されるカム斜面１６をノーズ部１３の下側面部に形成し、ロック板８が突出回転したとき、オーバーハング壁１２に対面する制止面１７をノーズ部１３の上側面部に形成する。【選択図】図５
2006152648.tif 000002
【特許請求の範囲】
【請求項１】
マンホール蓋１の把手孔２に挿入され、把手孔２の上面開口部３を閉塞する断面逆Ｕ字形のキャップ４と、キャップ４の一方の側面板部５に形成したブラケット板部６に対して水平支軸７により回転可能に連結され、水平支軸７を中心とする自己の偏倚荷重によって側面板部５の外側に突出回転するロック板８と、キャップ４の上面板部９に形成したキー孔１０から挿入される操作キー１１とからなり、
把手孔２の内側面のオーバーハング壁１２に係脱するノーズ部１３をロック板８に形成し、操作キー１１の駆動突起１４に押される受動板部１５をロック板８の上端部に形成してあり、キャップ４が把手孔２に挿入されるとき把手孔２の孔縁部２ａに押されるカム斜面１６をノーズ部１３の下側面部に形成し、ロック板８が突出回転したときオーバーハング壁１２に対面する制止面１７をノーズ部１３の上側面部に形成したマンホール蓋の把手孔用カバー装置。
【発明の詳細な説明】
【技術分野】
【０００１】
本発明は、マンホール蓋を開閉するための把手孔を閉塞するマンホール蓋の把手孔用カバー装置に関する。
【背景技術】
【０００２】
マンホール蓋は、通常、安全上・保安上等の理由から作業者以外は容易に開くことができないように、マンホール上面側に設けた把手孔にカバー装置を装着している。マンホール蓋を開く場合には、前記カバー装置を最初に取除き、その後、把手孔に差し込んだバール等の器具によってマンホールを持ち上げるようにしてマンホールを開いている。
【０００３】
把手孔を閉塞するカバー装置としては、把手孔となる通孔に対してその上面を被着する円板状のストッパー材と、拡張体を設け、この間に通孔内に遊挿する筒状の弾性体を介在させ、この状態でストッパー材、弾性体、拡張体に螺子桿を嵌挿し、螺子桿の下部にナットを螺合させ一体化させたものがあり、通孔を閉塞する場合には、ストッパー材を締付けることによって弾性体が押し広げられ、通孔を閉塞して全体を固定するようにしている（特許文献１参照）。
【０００４】
別のカバー装置としては、マンホール蓋上面に設けた位置決め用凹部に嵌合する位置決め用突起を裏面側に設けた円盤部と、円筒状の外周面部を設けた下部を有する本体と、本体に嵌挿される下部側に雄螺子を設けた主軸とマンホール蓋に接離して固定するための固定用爪を張り出し成形して主軸の雄螺子に螺合する締付けナットからなるものがあり、把手孔となる鍵穴を閉塞する場合は、位置決め用突起をマンホール蓋の凹部に嵌合させるようにして本体下部をマンホール蓋の鍵穴に嵌挿し、主軸を回転させることで固定用爪が回転し、この固定用爪が鍵穴の下面側孔縁部に係合した状態で更に主軸を回転させることで締付け可能となり、全体を固定して鍵孔を塞いでいる（特許文献２）。
【０００５】
更に別のカバー装置としては、上面側に締付け用の締付け穴を有するボルトと、このボルトの頭部を挿着する挿着穴を有しマンホール蓋の把手孔を閉塞する円板状の円板部を有するキャップと、ボルトを挿入するための貫通孔とボルトの雄ねじを螺着するための雌ねじを有し、把手孔内を回転したときに把手孔に係止する係止部とマンホール蓋の下面側に当接可能な当接面を有し上方への抜止めをするように設けた回転体とからなり、把手孔に係止部を係止した状態でボルトを回転したときに回転体がボルトに沿って上下の何れか一方に移動するように設けたものがある（特許文献３参照）。
【０００６】
しかしながら、特許文献１に開示されたマンホール蓋の通孔閉塞装置では、締付け力が加わる部分がゴム等の弾性に富んだ材料で成形された弾性体であるため劣化しやすく、磨耗などによって徐々にその弾性力が失われるなど、耐久性の面で問題があった。また、通孔に対して確実に弾性体を取付けるためには、締付けを行なう治具を操作するときに弾性体が通孔内に強く弾接するまで強く締付けなければその効果を発揮できず、弾性体の劣化がより激しくなると共に、治具の締付け程度が分かりづらく、締付け加減が難しくなるなどの操作性にも問題が生じる場合があった。
【０００７】
特許文献２に開示されたマンホール蓋の鍵孔用盲栓装置は、汚泥等が蓋側の位置決め用凹部に入り込んだりすると、円盤部をマンホール蓋の陥没部に嵌め込もうとしたときに円盤部側の位置決め用突起がこの位置決め用凹部に確実に嵌まらないことがあり、締付け作業が難しくなる場合があった。従って、マンホール蓋の位置決め部分の取付け具合によっては締付け作業の確実性に欠けることがあり、また、凸部を凹部に嵌め込んだ状態にしてから締付け作業を行なう必要があるため、その分手間がかかることがあった。
【０００８】
特許文献３に開示されたマンホール蓋の把手孔のカバー装置は、耐久性と締付け時の操作性において一定の改善が見られるものであるが、全体として構成部品点数が多いため製作組立のコストが割高なものとなっている。
【０００９】
【特許文献１】実公平７−１６７６８号公報
【特許文献２】特許第２８８９２０３号公報
【特許文献３】特開２００３-２３９３０９号公報
【発明の開示】
【発明が解決しようとする課題】
【００１０】
本発明の課題は、必要十分な施錠機能を備えていながら、全体の構成部品点数を極限まで減らして製作組立のコストを節減することができ、操作の簡便性にも優れたマンホール蓋の把手孔用カバー装置を提供することである。
【課題を解決するための手段】
【００１１】
本発明の把手孔用カバー装置は、マンホール蓋１の把手孔２に挿入され、把手孔２の上面開口部３を閉塞する断面逆Ｕ字形のキャップ４と、キャップ４の一方の側面板部５に形成したブラケット板部６に対して水平支軸７により回転可能に連結され、水平支軸７を中心とする自己の偏倚荷重によって側面板部５の外側に突出回転するロック板８と、キャップ４の上面板部９に形成したキー孔１０から挿入される操作キー１１とからなり、
把手孔２の内側面のオーバーハング壁１２に係脱するノーズ部１３をロック板８に形成し、操作キー１１の駆動突起１４に押される受動板部１５をロック板８の上端部に形成してあり、キャップ４が把手孔２に挿入されるとき把手孔２の孔縁部２ａに押されるカム斜面１６をノーズ部１３の下側面部に形成し、ロック板８が突出回転したときオーバーハング壁１２に対面する制止面１７をノーズ部１３の上側面部に形成したものである。
【発明の効果】
【００１２】
本発明の把手孔用カバー装置は、マンホール蓋１の把手孔２に挿入され、把手孔２の上面開口部３を閉塞する断面逆Ｕ字形のキャップ４と、キャップ４の一方の側面板部５に形成したブラケット板部６に対して水平支軸７により回転可能に連結され、水平支軸７を中心とする自己の偏倚荷重によって側面板部５の外側に突出回転するロック板８と、キャップ４の上面板部９に形成したキー孔１０から挿入される操作キー１１とからなるものであり、全体としての構成部品点数が極限まで減らされているから、その製作組立のコストが大幅に節減される。
【００１３】
また、本発明の把手孔用カバー装置では、把手孔２の内側面のオーバーハング壁１２に係脱するノーズ部１３がロック板８に形成されており、ロック板８が自重によって側面板部５の外側に突出回転したとき、オーバーハング壁１２に対面する制止面１７がノーズ部１３の上側面部に形成されているため、部外者がキャップ４を勝手に引き上げようとするときには、前記ノーズ部１５の制止面１７がオーバーハング壁１２に衝接することによって、そのような引上げ動作は制止されるので、このカバー装置はマンホール蓋用としての必要十分な施錠機能を備えている。
【００１４】
ロック板８のノーズ部１３によるキャップ４の施錠は、キャップ４を把手孔２に挿入するとき、ノーズ部１３のカム斜面１６が把手孔２の孔縁部２ａに押されてノーズ部１３が側面板部５の内側に退避回転させられた後、キャップ４の挿入動作の終端域においてロック板８が自らの偏倚荷重によって外方に自動的に突出回転することによって成立するのであるから、特別の施錠操作を必要とせず、操作の簡便性に優れている。
【００１５】
また、ロック板８によるキャップ４の施錠の解除は、キャップ４の上面板部９のキー孔１０から操作キー１１を挿入して操作キー１１の駆動突起１４をロック板８の受動板部１５に対面させ、操作キー１１を回すことによって水平支軸７を中心にロック板８を回転させ、ノーズ部１３をキャップ４の側面板部５の内側に退避回転させることによってなされるのであるから、解錠操作も簡単になされる。
【実施例】
【００１６】
図１から図５に示した実施例では、キャップ４は金属板のプレス加工によって成形され、一対の側面板部５，１８と両者間を連絡する上面板部９とで構成されている。ブラケット板部６は、一方の側面板部５にキャップ４の内側空間に向かって直角に切り曲げ形成されている。金属板製のロック板８は概略平行四辺形状に形成され、水平支軸７が通される軸孔１９はロック板８の下端部に形成され、ロック板８の重心は軸孔１９とノーズ部１３の間に来るようになっている。水平支軸７を中心とする前記偏倚荷重のため、ロック板８には図５において反時計回り方向の回転モーメントが常時働いており、キャップ４が把手孔２から取り出されている状態では、ロック板８は自重で自動回転して、ノーズ部１３が側面板部５の外側に突出している。
【００１７】
ロック板８の受動板部１５は、ロック板８の上端部に直角の曲げ形成されている。受動板部１５は、施錠状態においてはキー孔１０の下方空間に待機している。駆動突起１４は金属板製の操作キー１１の先端部に形成されており、操作キー１１が回されたとき、図４に示したようにロック板８の受動板部１５を押し回す。この押し回し操作によって水平支軸７を中心にロック板８が回転し、ノーズ部１３がキャップ４の内側空間に引き込まれる。
【００１８】
マンホール蓋１の把手孔２の内奥部２０は上面開口部３よりも広く形成されており、内奥部２０と上面開口部３との境界にあるオーバーハング壁１２は、把手孔２の内底面と平行に形成されている。キャップ４の一対の側面板部５，１８の下面は、そのほぼ過半部分が把手孔２の内底面２ｂに当接している。ノーズ部１３が突出回転した状態においては、カム斜面１６がブラケット板部６の根元部の位置決め受部２２に当接している。
【００１９】
図６から図７に示した実施例のようにキャップ４の寸法形状は、本発明のカバー装置が適用されるマンホール蓋１の把手孔２の内面形状に応じて適宜変更される。マンホール蓋１の把手孔２の内奥部２０が上面開口部３よりも広く形成されていることは同じであるが、内奥部２０と上面開口部３との境界にあるオーバーハング壁１２は、把手孔２の内底面に対して傾斜して形成されている。キャップ４の一対の側面板部５，１８の下面は、その一部のみが把手孔２の内底面２ｂに当接している。
その他の構成及び作用は前記実施例と同様であるので、説明を省略する。
【図面の簡単な説明】
【００２０】
【図１】本発明の一実施例に係る把手孔用カバー装置を適用したマンホール蓋の要部平面図である。
【図２】図１のマンホール蓋の要部縦断面図である。
【図３】図１のマンホール蓋の要部側面図である。
【図４】図２のＡ−Ａ線断面図である。
【図５】図１のＢ−Ｂ線断面図である。
【図６】本発明の別の実施例に係る把手孔用カバー装置を適用したマンホール蓋の要部平面図である。
【図７】図６のマンホール蓋の要部縦断面図である。
【図８】図６のマンホール蓋の要部側面図である。
【符号の説明】
【００２１】
１    マンホール蓋
２    把手孔
２ａ  把手孔の孔縁部
２ｂ  把手孔の内底面
３    把手孔の上面開口部
４    キャップ
５    キャップの側面板部
６    側面板部のブラケット板部
７    水平支軸
８    ロック板
９    キャップの上面板部
１０    キー孔
１１    操作キー
１２    把手孔のオーバーハング壁
１３    ロック板のノーズ部
１４    操作キーの駆動突起
１５    ロック板の受動板部
１６    ノーズ部のカム斜面
１７    ノーズ部の制止面
１８    キャップの側面板部
１９    ロック板の軸孔
２０    把手孔の内奥部
２１    マンホールの固定枠体
２２    キャップの位置決め受部
【図１】
2006152648.tif 000003
【図２】
2006152648.tif 000004
【図３】
2006152648.tif 000005
【図４】
2006152648.tif 000006
【図５】
2006152648.tif 000007
【図６】
2006152648.tif 000008
【図７】
2006152648.tif 000009
【図８】
2006152648.tif 000010